【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
クライアント機器に接続部を介して接続され、ストレージを備える外付機器であって、
認証情報と、
前記外付機器の送信装置から前記クライアント機器に送信され、前記クライアント機器の備えるメモリ上にロードされ、前記クライアント機器の備えるCPUによって実行され、前記クライアント機器に、前記外付機器からOSプログラムを受信させるブートプログラムと、
前記外付機器の送信装置から前記クライアント機器に送信され、前記クライアント機器の備えるメモリ上にロードされ、前記クライアント機器の備えるCPUによって実行され、前記クライアント機器に、前記外付機器から遠隔操作プログラムを受信させる前記OSプログラムと、
前記外付機器の送信装置から前記クライアント機器に送信され、前記クライアント機器の備えるメモリ上にロードされ、前記クライアント機器の備えるCPUによって実行され、前記クライアント機器に、前記外付機器の利用者から取得する識別情報を利用して前記認証情報を受信させ、前記認証情報を用いて前記クライアント機器にネットワークを介して接続されるサーバと前記クライアント機器の間に通信路を構築させ、前記サーバを遠隔操作させる前記遠隔操作プログラムと、
を前記ストレージに有することを特徴とする外付機器。
【請求項２】
請求項1記載の外付機器であって、
前記ブートプログラムは、前記外付機器からOSプログラムを受信させる前に、前記クライアント機器の認証を行わせることを特徴とする外付機器。
【請求項３】
クライアント機器に接続部を介して接続され、ストレージを備える外付機器であって、
前記外付機器の送信装置から前記クライアント機器に送信され、前記クライアント機器の備えるメモリ上にロードされ、前記クライアント機器の備えるCPUによって実行され、前記クライアント機器に、前記外付機器からOSプログラムを受信させるブートプログラムと、
前記外付機器の送信装置から前記クライアント機器に送信され、前記クライアント機器の備えるメモリ上にロードされ、前記クライアント機器に認証を行わせた後、前記クライアント機器の備えるCPUによって実行される前記OSプログラムと、
を前記ストレージに有することを特徴とする外付機器。
【請求項４】
請求項3記載の外付機器であって、さらに、
認証情報と、
前記外付機器の送信装置から前記クライアント機器に送信され、前記クライアント機器の備えるメモリ上にロードされ、前記クライアント機器の備えるCPUによって実行され、前記クライアント機器に、前記外付機器の利用者から取得する識別情報を利用して前記認証情報を受信させ、前記認証情報を用いて前記クライアント機器にネットワークを介して接続されるサーバと前記クライアント機器との間に通信路を構築させ、前記サーバを遠隔操作させる前記遠隔操作プログラムと、
を前記ストレージに有することを特徴とする外付機器。
【請求項５】
請求項1、2、又は4のうちいずれか1つに記載の外付機器であって、
前記第1の認証情報を有するストレージは、耐タンパ性を有するストレージであることを特徴とする外付機器。
【請求項６】
請求項1、2又は4のうちいずれか1つに記載の外付機器であって、
前記ブートプログラム、前記OSプログラム、及び前記遠隔操作プログラムのロードされる前記クライアント機器の備えるメモリは、揮発性メモリであることを特徴とする外付機器。
【請求項７】
請求項5又は6記載の外付機器であって、
前記ストレージの有する認証情報は、前記通信路の構築に関する鍵情報を含むことを特徴とする外付機器。
【請求項８】
請求項5乃至7記載のうちいずれか1つに記載の外付機器であって、
前記外付機器の利用者から取得する識別情報を利用して前記クライアント機器が受信する認証情報は、前記ストレージの有する認証情報を用いて前記外付機器が作成する電子署名であることを特徴とする外付機器。
【請求項９】
請求項5乃至8記載のうちいずれか1つに記載の外付機器であって、
前記ストレージは、さらに、
前記外付機器の送信装置から前記クライアント機器に送信され、前記クライアント機器の備えるメモリ上にロードされ、前記クライアント機器の備えるCPUによって実行される、前記耐タンパ性を有するストレージを含む、前記外付機器のストレージに関するデバイスドライバを有し、
前記OSプログラムは、
前記デバイスドライバを、前記外付機器の送信装置から前記クライアント機器へ、前記遠隔操作プログラムが送信される前に送信させ、前記クライアント機器の備えるメモリ上にロードさせ、前記クライアント機器の備えるCPUによって実行させ、前記クライアント機器から前記接続部を介した前記外付機器の前記耐タンパ性を有するストレージを含むストレージへのアクセスを可能とすることを特徴とする外付機器。
【請求項１０】
請求項2乃至9のうちいずれか1つに記載の外付機器であって、
前記ブートプログラムの、前記外付機器からのOSプログラムの受信は、前記クライアント機器の認証が失敗した場合に行われることを特徴とする外付機器。
【請求項１１】
請求項2乃至10のうちいずれか1つに記載の外付機器であって、
前記ブートプログラムが前記クライアント機器に行わせる認証は、前記クライアント機器の備えるデバイスの固有識別子を検証することであることを特徴とする外付機器。
【請求項１２】
請求項11記載の外付機器であって、
前記クライアント機器の備えるデバイスは、CPU、メモリ、前記ストレージ、又はネットワークカードであることを特徴とする外付機器。
【請求項１３】
請求項12記載の外付機器であって、
前記クライアント機器の備えるデバイスの固有識別子は、製造番号、又はMACアドレスであることを特徴とする外付機器。
【請求項１４】
請求項2乃至13のうちいずれか1つに記載の外付機器であって、
前記ブートプログラムは、前記クライアント機器の認証が成功した後、さらに、
前記クライアント装置の備えるストレージに暗号化、又はパスワードロックがかかっているか否かを前記外付機器に調査させ、
前記ストレージに暗号化、又はパスワードロックがかかっていた場合、前記外付機器の利用者から前記暗号化、又はパスワードロックの解除情報を受信させ、該解除情報を用いて前記暗号化、又はパスワードロックが解除できない場合に、前記外付機器からOSプログラムを受信させることを特徴とする外付機器。
【請求項１５】
請求項14記載の外付機器であって、
前記ブートプログラムが、前記クライアント機器の認証に成功した場合、又は、前記ブートプログラムが前記ストレージの暗号化又はパスワードロックの解除に成功した場合、前記クライアント機器の備えるストレージの有するOSプログラムを実行させることを特徴とする外付機器。
【請求項１６】
請求項1乃至15のうちいずれか1つに記載の外付機器であって、
該外付機器のストレージは、さらに、
前記外付機器から前記クライアント機器に、前記OSプログラムの代わりに送信されるダミーデータを有し、
前記ブートプログラムは、前記クライアント機器が前記ダミーデータを受信した場合、前記クライアント機器に予め定められたOSプログラムの読込先の機器からOSプログラムを読み出すことを特徴とする外付機器。
【請求項１７】
請求項16記載の外付機器であって、
該外付機器は、さらに、前記クライアント装置に前記OSプログラム、及び前記ダミーデータのいずれかを送信することを決定する選択部を有することを特徴とする外付機器。
【請求項１８】
請求項1乃至17記載のうちいずれか1つに記載の外付機器であって、
前記外付機器の利用者から取得する識別情報は、暗証番号、パスワード、パスフレーズ、ワンタイムパスワード、又は前記利用者の生体認証情報であることを特徴とする外付機器。
【手続補正２】
【補正対象書類名】明細書
【補正対象項目名】発明の名称
【補正方法】変更
【補正の内容】
【発明の名称】外付機器
【手続補正３】
【補正対象書類名】明細書
【補正対象項目名】００３９
【補正方法】変更
【補正の内容】
【００３９】
デバイスドライバ2014は、ストレージデバイス1014の動作に必要な情報をOSに提供したり、動作を管理するプログラムであり、後述するインストーラ2016によりクライアント1001にインストールされる。